(57)【要約】    【課題】  本発明の課題は、洪水が起こった場合にも、少ない時間と労力で迅速に所定箇所に設置が可能であるとともに、浸水を確実に防止し得る軽量かつ簡素な構成のウォータフロートバリアを提供することにある。    【解決手段】  本発明に関わるウォータフロートバリアは、洪水等による水ｗを堰きとめ止水するウォータフロートバリア１(１Ａ、１Ｂ)であって、洪水等の水面上に浮く浮き体３と、該浮き体３が上端部に設置されるとともに下端部側が固定具６、８、１０により設置面Ｇ上に固定され、洪水等による水ｗを貯水して堰きとめる内包空間Ｋが巻き込まれて形成される防水性の止水シート２と、一方端部が固定具６、８、１０により固定されるとともに他方端部が浮き体３に取り付けられ、止水シート２の上端部を引っ張り止水シート２の内包空間Ｋを形成する接続体７とを備えて成る。    【選択図】  図１
2008106441.tif 000002
【特許請求の範囲】
【請求項１】
洪水等による水を堰きとめ止水するウォータフロートバリアであって、
洪水等の水面上に浮く浮き体と、
該浮き体が上端部に設置されるとともに下端部側が固定具により設置面上に固定され、洪水等による水を貯水して堰きとめる内包空間が巻き込まれて形成される防水性の止水シートと、
一方端部が前記固定具により固定されるとともに他方端部が前記浮き体に取り付けられ、前記止水シートの上端部を引っ張り前記止水シートの内包空間を形成する接続体と
を備えて成ることを特徴とするウォータフロートバリア。
【請求項２】
前記止水シートの下端部に一端部が防水した状態で接続されるとともに他端部縁に沿って重りが設置され、かつ、柔軟性を有することにより前記設置面の地肌に沿って載置され漏水を防ぐとともに前記洪水等による水を前記止水シートの内包空間に導水する防水性の導水シートを、さらに備える
ことを特徴とする請求項１に記載のウォータフロートバリア。
【請求項３】
前記重りは、鎖であることを特徴とする請求項２に記載のウォータフロートバリア。
【請求項４】
側部に、隣接する他のウォータフロートバリアを重ねて連結するとともに防水する連結部を、さらに備える
ことを特徴とする請求項１〜３のうちの何れか一項に記載のウォータフロートバリア。
【発明の詳細な説明】
【技術分野】
【０００１】
本発明は、洪水が起こった場合等に屋外、屋内の所定区域内への浸水を防止するウォータフロートバリアに関する。
【背景技術】
【０００２】
近年、山間部等における宅地造成、再開発が急速に進み、森林の伐採等が大規模に行われ、地盤の変化が急速に進行している。
【０００３】
一方、技術革新、人口増加に伴なうエネルギー消費による温暖化現象等に起因する気象変化により、異常気象が発生している。
【０００４】
このような自然環境の変化に伴ない、天候不順による大雨、台風の異常発生による大量の降雨が多発している。  こうした大量の降雨が起こった場合、山間部等における森林の伐採により森林の保水機能が損なわれているため、鉄砲水、土石流等が発生して短時間で河川の異常増水が起こり、各地で堤防の決壊が頻発している。
【０００５】
従来、洪水が起こった場合には、土砂を入れた多数の土嚢を積み上げ、屋外或いは屋内の一定区域内への洪水による浸水を防止している。
【０００６】
なお、本出願に係る文献公知発明としては、下記の特許文献１がある。
【特許文献１】特開２００６−１４４２９４号公報
【発明の開示】
【発明が解決しようとする課題】
【０００７】
ところで、上述の如く、浸水を防止するために土嚢を積み上げる方策は、土嚢に土砂を積め、多数の土嚢を作る作業に多くの人力を要する。  しかも、一つの土嚢の容積は小さいため、浸水を防ぐには土嚢の数も非常に多数にのぼる。また、土嚢内には土砂が積み込まれるため、重量が大きく、作業負担が重いという問題がある。
【０００８】
そのため、多数の土嚢を作り、この多数の土嚢を積み上げる作業には多くの労力と時間を費やし、洪水による水位上昇に時間的に間に合わないケースが多く、有効な手段とはなっていない。
【０００９】
このような背景から、洪水の浸水による人的、物的被害は甚大なものとなっている。
【００１０】
本発明は上記実状に鑑み、洪水が起こった場合にも、少ない時間と労力で迅速に所定箇所に設置が可能であるとともに、浸水を確実に防止し得る軽量かつ簡素な構成のウォータフロートバリアの提供を目的とする。
【課題を解決するための手段】
【００１１】
上記目的を達成するべく、本発明の請求項１に関わるウォータフロートバリアは、洪水等による水を堰きとめ止水するウォータフロートバリアであって、洪水等の水面上に浮く浮き体と、該浮き体が上端部に設置されるとともに下端部側が固定具により設置面上に固定され、洪水等による水を貯水して堰きとめる内包空間が巻き込まれて形成される防水性の止水シートと、一方端部が前記固定具により固定されるとともに他方端部が前記浮き体に取り付けられ、前記止水シートの上端部を引っ張り前記止水シートの内包空間を形成する接続体とを備えて成る。
【００１２】
本発明の請求項２に関わるウォータフロートバリアは、請求項１に記載のウォータフロートバリアにおいて、前記止水シートの下端部に一端部が防水した状態で接続されるとともに他端部縁に沿って重りが設置され、かつ、柔軟性を有することにより前記設置面の地肌に沿って載置され漏水を防ぐとともに前記洪水等による水を前記止水シートの内包空間に導水する防水性の導水シートをさらに備えている。
【００１３】
本発明の請求項３に関わるウォータフロートバリアは、請求項２に記載のウォータフロートバリアにおいて、前記重りは鎖である。
【００１４】
本発明の請求項４に関わるウォータフロートバリアは、請求項１〜３のうちの何れか一項に記載のウォータフロートバリアにおいて、側部に、隣接する他のウォータフロートバリアを重ねて連結するとともに防水する連結部をさらに備えている。
【発明の効果】
【００１５】
以上、詳述した如く、本発明の請求項１に関わるウォータフロートバリアによれば、洪水が起こった場合にも、少ない時間と労力で迅速に所定箇所に設置が可能であるとともに、浸水を確実に防止し得る軽量かつ簡素な構成のウォータフロートバリアが実現できる。
【００１６】
本発明の請求項２に関わるウォータフロートバリアによれば、止水シートの下端部に一端部が防水した状態で接続されるとともに他端部縁に沿って重りが設置され、柔軟性を有することにより設置面の地肌に沿って載置され漏水を防ぐとともに洪水等による水を止水シートの内包空間に導水する防水性の導水シートを備えるので、漏水を防ぐとともに、洪水等による水を止水シートの内包空間に導水することができる。
【００１７】
本発明の請求項３に関わるウォータフロートバリアによれば、導水シートの他端部縁に沿って設置される重りは鎖であるので、ウォータフロートバリアの設置面の地肌に柔軟に沿うことが可能であり、鎖の重量で導水シートを効果的に設置面の地肌に沿って載置でき、導水シート下方からの漏水を良好に防ぐことができる。
【００１８】
本発明の請求項４に関わるウォータフロートバリアによれば、側部に、隣接する他のウォータフロートバリアを重ねて連結するとともに防水する連結部をさらに備えるので、任意の距離の場所に任意の数のウォータフロートバリアを連結して設置することが可能である。
【発明を実施するための最良の形態】
【００１９】
以下、本発明の実施形態について添付図面を参照して説明する。
【００２０】
本発明を適用したウォータフロートバリア１(１Ａ、１Ｂ)は、図１、および図１のＡ方向矢視概念図の図２に示すように、地面(設置面)Ｇ上に固定され内包空間Ｋによって洪水等の水ｗを堰きとめる止水シート２と、止水シート２の上端部に固着され洪水等の水面上に浮んで水位の上昇下降に応じて止水シート２を上下動させるフロート(浮き体)３と、止水シート２の下端部に溶着されるとともに前端部縁に沿って鎖(重り)５が設置され水ｗを止水シート２へ導水するとともに漏水を防ぐ導水シート４と、フロート３および固定用杭６に係合され止水シート２を巻き込み、水ｗを貯水して堰きとめる止水シート２の内包空間Ｋを形成する固定ベルト(接続体)７と、固定ベルト７を固定用杭(固定具)６に留めるとともに止水シート２を地面Ｇ上に固定する固定金具(固定具)８とを備えている。  
なお、図１は、地面Ｇ上に設置したウォータフロートバリア１によって洪水等による水ｗを堰き止めた状態を示した概念図である。
【００２１】
図１に示すように、一のウォータフロートバリア１Ａを他のウォータフロートバリア１Ｂの連結部１ｋ上に重ねて防水するとともに連結することを繰り返し、任意の距離の場所に任意の数のウォータフロートバリア１を設置することが可能である。
【００２２】
なお、この一のウォータフロートバリア１Ａと隣接する他のウォータフロートバリア１Ｂとの重畳部は、後述する工業用ファスナー(登録商標)、マジックテープ（登録商標）(図示せず)等を用いて、或いは、止水テープ(図示せず)が貼着されて、両ウォータフロートバリア１Ａ、１Ｂ間が防水され連結されている。
【００２３】
図３は、ウォータフロートバリア１を展開して広げた状態を示した上面図である。
【００２４】
止水シート２は、洪水等の水ｗを止水するため、耐久性があり丈夫かつ高品質な防水性のシートが用いられており、ウォータフロートバリア１を設置面に固定するための固定用杭６が挿通される取付孔２ａを有するハトメ２ｂが、融着等により複数設置されている。
【００２５】
止水シート２の上端部には、水ｗの水面上に浮かび(図１、図２参照)、水位の上昇下降に応じて止水シート２の上端部を上下降させるフロート３が固着されている。
【００２６】
なお、図１および図３の二点鎖線に示すように、止水シート２上端縁を折り返して、フロート３を折り返し部２oによって覆うように構成すれば、フロート３が止水シート２の折り返し部２oによって保護されるので、好適である。
【００２７】
止水シート２の上端部に固着されるフロート３は、水ｗに浮く必要があるため、比重が水より低く軽いとともに含水率が低く、また、強度が高く、長期間の使用に耐える耐久性があるものがよい。  本実施例においては、上記性質に加えて良好な加工性を有するエコマウッド(登録商標)が使用されている。
【００２８】
図４は、図１に示すフロート３のＢ方向矢視拡大図であり、図５は、図１に示すフロート３のＣ方向矢視拡大図である。なお、両図とも止水シート２は省略して示している。
【００２９】
フロート３は、図１、図４、および図５に示すように、エコマウッド(登録商標)を用いて四角形の箱状の形状を有して形成されるとともに、２つの貫通孔３ａ、３ａが穿孔されており、貫通孔３ａ、３ａにそれぞれ固定ベルト７を取付けるためのアイボルト９、９が、図５(ａ)に示すように、座金ｚ1およびナットｎ1、または、図５(ｂ)に示すように、座金ｚ2および蝶ネジｎ2により取り付けられている。なお、フロート３の形状は、箱状に限定されないことは言うまでもない。
【００３０】
また、図３に示すように、止水シート２の下端部のシート溶着部２cに一端部が溶着される導水シート４は、ウォータフロートバリア１の設置面Ｇの地肌に沿って載置できる程に柔軟性を有する薄い丈夫なシートが用いられている。
【００３１】
一方、導水シート４の他端部には、重りであるステンレス製の鎖５が巻き込まれて他端部縁に沿って設置されている。図１、図２に示すように、水より比重が重い鎖５の重量により、止水シート２の他端部が地面Ｇの地肌に沿って密着され、止水シート２によって堰き止める水ｗが導水シート４および止水シート２の下方に漏水するのを防止している。
【００３２】
ここで、導水シート４の重りとしては、堰き止める水ｗが導水シート４下方に漏水することを防ぐため、導水シート４を地面Ｇの地肌に沿って密着させることが必要である。上述した鎖５は、ステンレス鋼の輪をつなぎ合わせてひも状に形成されるため柔軟性を有しており、導水シート４を地面Ｇの地肌に沿って密着させることが可能である。
【００３３】
なお、本実施例では、重りとして、ステンレス製の鎖５を例示して説明したが、水より比重が大きいとともに、鎖のように柔軟性があり、導水シート４を設置面の地肌に沿って密着させることができる部材ならば、鎖以外の部材も適用可能である。例えば、鎖のように連続したものでなく、個別に分離した重りでもよい。
【００３４】
また、図３に示すように、ウォータフロートバリア１の一方側部には、隣接するウォータフロートバリア１を重ねて配設するための連結部１ｋが設けられており、連結部１ｋ上には、隣接するウォータフロートバリア１が重ねられることから、上述のフロート３および鎖５は設置されていない。
【００３５】
この連結部１ｋ上には、隣接する他のウォータフロートバリア１の他方端部を重ねて連結するとともに防水するための工業用ファスナー(登録商標)、マジックテープ（登録商標）(図示せず)等が連結部１ｋの延在方向(図３の左右方向)に沿って配設されているとともに、連結部１ｋに重ねられる隣接するウォータフロートバリア１の箇所には、対応する工業用ファスナー(登録商標)、マジックテープ（登録商標）(図示せず)等が配設されている。
【００３６】
固定ベルト７は、図１、図２に示すように、止水シート２を巻き込むことにより、洪水等の水ｗを貯水して堰きとめ止水する内包空間Ｋを形成している。
【００３７】
固定ベルト７は、例えば、自動車のシートベルト様のベルト状の部材であり、その一方端は、図４に示すように、フロート３の貫通孔３ａに取り付けるアイボルト９の目穴部９ａに留められている。
【００３８】
また、固定ベルト７の他方端は、図１、図２、および図１の固定用杭６廻りの拡大図の図６(ａ)に示すように、その他方端に設置されるハトメ７ａを、地面Ｇに打ち込まれた固定用杭６を挿通させて、止めネジ(固定具)１０により固定用杭６に固定される固定金具８によって上方から押えることにより、止水シート２とともに地面Ｇ上に固定されている。
【００３９】
なお、図６(ｂ)に示すように、固定金具８の下方に、両端部に取付孔１１ａ、１１ｂを有する押え金具１１を用いて、押え金具１１の取付孔１１ａに固定ベルト７の他方端部を取付け、押え金具１１の取付孔１１ｂに、ガードレール等に固定した取付ベルトを取付けて、ウォータフロートバリア１の設置面である地面Ｇへの固定をより強固にすることもできる。
【００４０】
次に、上述した構成のウォータフロートバリア１の設置方法について説明する。
【００４１】
まず、設置場所の地面Ｇ上に、図３に示すように、ウォータフロートバリア１を展開して広げ、ウォータフロートバリア１の一方側部の連結部１ｋ上に、隣接する他のウォータフロートバリア１の他方側部を重ねて配置する(図１参照)。そして、連結部１ｋ等に配設された工業用ファスナー(登録商標)、マジックテープ（登録商標）で重ねられた両ウォータフロートバリア１、１間を連結するとともに防水する。なお、工業用ファスナー(登録商標)、マジックテープ（登録商標）に代替して、止水テープ(図示せず)を重ねられた両ウォータフロートバリア１、１間に貼着して連結するとともに防水することも可能である。
【００４２】
また、前述したように、一のウォータフロートバリア１の連結部１ｋ上に、隣接する他のウォータフロートバリア１の側部を重ねて連結することを繰り返すことにより、任意の設置距離に適合した任意の数のウォータフロートバリア１を連結して配置することができる。
【００４３】
続いて、止水シート２の各ハトメ２ｂの取付孔２ａにそれぞれ固定用杭６を挿通して、図１、図２に示すように、地面Ｇに固定用杭６を打ち込む。
【００４４】
続いて、固定ベルト７の一方端を、図４に示すように、フロート３の貫通孔３ａに取り付けられたアイボルト９の目穴部９ａに留める。
【００４５】
また、固定ベルト７の他方端のハトメ７ａを、図６(ａ)に示すように、地面Ｇに打ち込まれた固定用杭６を挿通させた後、固定金具８を固定用杭６に挿通して固定ベルト７の他方端のハトメ７ａおよび止水シート２を上方から地面Ｇ上に押えて、固定金具８を止めネジ１０にて固定用杭６に固定し、固定ベルト７の他方端のハトメ７ａおよび止水シート２を地面Ｇ上に固定する。
【００４６】
このようにして、ウォータフロートバリア１が設置された場合、例えば、図１に示すように、洪水等の水ｗが矢印α方向から流れてくると、水面上にフロート３、３、…が浮力により浮かび、フロート３、３、…によって水面上に止水シート２ｎ上端部を引き上げるため、水面の高さに応じて、止水シート２の上端部が水面上に引き上げられることになり、止水シート２によって洪水等の水ｗを止水することができる。
【００４７】
なお、上記実施例では、ウォータフロートバリア１を複数直線状に連続して設置する場合を例示して説明したが、ウォータフロートバリア１の主構成部は、止水シート２および導水シート４から成り、柔軟性があるため、任意の形、例えば、円形状等の形状にして設置することが可能である。
【００４８】
また、上記実施例では、ウォータフロートバリア１の主構成部である止水シート２および導水シート４が矩形状の場合を例示したが、止水シート２および導水シート４は、シートであるので容易に任意の形状に形成でき、任意の設置場所に応じたウォータフロートバリア１を形成することが可能である。
【００４９】
なお、上記実施例では、止水シート２および固定ベルト７を固定するため、固定用杭６を用いる場合を例示して説明したが、止水シート２および固定ベルト７を固定できるものであれば、アンカーボルト等の他の部材も使用可能である。
【００５０】
上記構成によれば、ウォータフロートバリア１を設置することにより、容易に洪水等による水ｗを止水することが可能である。
【００５１】
また、ウォータフロートバリア１は、容易かつ迅速に任意の場所に任意の距離設置することが可能であり、設置する際の労力が少ない。
【００５２】
また、ウォータフロートバリア１は、簡易な構成で軽量であり、運搬が容易である。
【００５３】
また、ウォータフロートバリア１は、簡易な構成で低コストあるため、少ない費用負担で長距離の場所に設置できる。
【００５４】
また、ウォータフロートバリア１の主構成部材は、シートであり柔軟性を有するとともに任意の形状に形成でき、直線状のみならず、円形状等の任意の形状にして設置可能である。
【００５５】
従って、洪水等が起こった場合にも、少ない時間と労力で迅速に所定箇所に設置が可能であるとともに、浸水を確実に防止し得る軽量かつ簡素な構成のウォータフロートバリアを実現できる。
【図面の簡単な説明】
【００５６】
【図１】本発明の実施例に関わるウォータフロートバリアで洪水等による水を堰き止めた状態を示す概念的斜視図。
【図２】図１に示すウォータフロートバリアのＡ方向矢視概念図。
【図３】実施例のウォータフロートバリアを展開して広げた状態を示した上面図。
【図４】図１に示すフロートのＢ方向矢視拡大図。
【図５】(ａ)および(ｂ)は、図１に示すフロートのＣ方向矢視拡大図。
【図６】(ａ)および(ｂ)は、図１に示す固定用杭廻りの拡大図、および固定用杭に押え金具を用いた場合の固定用杭廻りの拡大図。
【符号の説明】
【００５７】
１、１Ａ、１Ｂ…ウォータフロートバリア、
１ｋ…連結部、
２…止水シート、
３…フロート(浮き体)、
４…導水シート、
５…鎖(重り)、
６…固定用杭(固定具)、
７… 固定ベルト(接続体)、
８…固定金具(固定具)、
１０…止めネジ(固定具)、
Ｇ…地面(設置面)、
Ｋ…内包空間、
ｗ…洪水等の水。
【図１】
2008106441.tif 000003
【図２】
2008106441.tif 000004
【図３】
2008106441.tif 000005
【図４】
2008106441.tif 000006
【図５】
2008106441.tif 000007
【図６】
2008106441.tif 000008